(57)【要約】【課題】映像表示装置の輝度むらを抑制し、良好な表示特性を持つ映像表示装置及びその制御方法を得ることを目的とする。【解決手段】表示素子４の各温度における輝度を測定し、各温度に応じて求められた表示素子の輝度補正値よりなる、各温度における補正値テーブルを作成し、複数の表示素子が含まれる表示パネル３単位で温度情報を定期的に読み出して温度を監視し、表示パネル３の温度が変化する毎に、各温度における補正値テーブルから該当する温度の輝度補正値を読み出し、その輝度補正値を用いて、表示パネル３内の表示素子４の輝度を表示パネル３単位毎に補正する。【選択図】図１
2013225035.tif 000002
【特許請求の範囲】
【請求項１】
複数の表示素子が配置された表示パネル、上記表示パネルの集合体よりなる表示モジュール、上記表示パネル内の各々の温度を計測する温度計測部、上記温度計測部で計測した各上記表示パネルの温度に応じて、上記表示素子の輝度を上記表示パネル毎に補正する輝度補正部を備え、上記輝度補正部は、上記表示素子の温度に対応した輝度補正値を記憶する補正値記憶部と、上記温度計測部で計測した温度に対応した上記輝度補正値を上記補正値記憶部から読み出し、各々の上記表示パネル内の上記表示素子の輝度を、上記輝度補正値を基に、上記表示パネル単位毎に制御する演算制御器を含むことを特徴とする映像表示装置。
【請求項２】
複数の表示素子が配置された表示パネルの集合体よりなる表示モジュールを備えた映像表示装置を制御する制御方法において、上記表示素子の各温度における輝度を測定し、各温度に応じて求められた上記表示素子の輝度補正値よりなる、各温度における補正値テーブルを作成するステップ、上記表示パネル単位で温度情報を定期的に読み出して温度を監視するステップ、上記表示パネルの温度が変化する毎に、上記各温度における補正値テーブルから該当する温度の上記輝度補正値を読み出し、上記輝度補正値を用いて、上記表示パネル内の上記表示素子の輝度を上記表示パネル単位毎に補正するステップを含む映像表示装置の制御方法。
【発明の詳細な説明】
【技術分野】
【０００１】
本発明は、例えば、ＬＥＤや蛍光表示管等の表示素子が画素として配列されて画面を構成する映像表示装置及びその制御方法に関するものである。
【背景技術】
【０００２】
従来のＬＥＤディスプレイユニットの点灯方法は、個々のＬＥＤの輝度ムラを揃えるデータを記憶し、発光輝度を補正することが開示されている。また、ディスプレイの設置場所の温度によって補正を行うことも開示されている（例えば、特許文献１参照。）。
【０００３】
また、従来の映像表示装置は、表示素子の発光輝度のバラつきを補正するための補正データを記憶するメモリ手段を有することが示されている（例えば、特許文献２参照。）。
さらに、従来のフルカラー表示装置は、色ずれ補正において、表示部の各ＬＥＤのそれぞれの温度を、温度センサで検知することが示されている（例えば、特許文献３参照。）。
【先行技術文献】
【特許文献】
【０００４】
【特許文献１】特許第２９５０１７８号公報
【特許文献２】特開平１１−３４４９４９号公報
【特許文献３】特開２０００−１１２４２９号公報
【発明の概要】
【発明が解決しようとする課題】
【０００５】
従来の技術には、全ての画素を同じ条件で駆動させた場合、各々の表示素子（発光表示素子、発光素子に同じ。）の個体差に依存する発光光度のばらつきにより、画面上の表示が均一にならず画面全域にわたりざらついて見えてしまうという問題があった。このような問題を防ぎ、各々の表示素子が有する発光光度のばらつきを吸収するために、表示素子を駆動する駆動手段において、各々の表示素子の最適な発光輝度を演算している。
従来の映像表示装置は、あらかじめ準備されメモリに格納されている補正データを元に補正制御を行い、全体として輝度ムラをなくし、映像品質を向上させている。
しかしながら、表示素子は点灯時に発熱し温度が上昇する。表示素子は温度が上昇するごとに輝度が低下する特性がある。この特性により温度が低い時に取得した補正データで表示を行った場合、映像表示装置内の温度が高い箇所の表示素子の輝度が低下し、画面表示のムラとして視認されてしまうという問題があった。
【０００６】
本発明は、このような問題点を解決するためになされたものであり、映像表示装置を構成する表示パネル単位で温度を監視し、各温度に適した表示素子の輝度補正値データを用い、補正制御を行うことで、表示画面内の温度ムラによる輝度ムラを低減できる映像表示装置及びその制御方法を提供することを目的としている。
【課題を解決するための手段】
【０００７】
この発明に係わる映像表示装置は、複数の表示素子が配置された表示パネル、上記表示パネルの集合体よりなる表示モジュール、上記表示パネル内の各々の温度を計測する温度計測部、上記温度計測部で計測した各上記表示パネルの温度に応じて、上記表示素子の輝度を上記表示パネル毎に補正する輝度補正部を備え、上記輝度補正部は、上記表示素子の温度に対応した輝度補正値を記憶する補正値記憶部と、上記温度計測部で計測した温度に対応した上記輝度補正値を上記補正値記憶部から読み出し、各々の上記表示パネル内の上
記表示素子の輝度を、上記輝度補正値を基に、上記表示パネル単位毎に制御する演算制御器を含むものである。
【０００８】
この発明に係わる映像表示装置の制御方法は、複数の表示素子が配置された表示パネルの集合体よりなる表示モジュールを備えた映像表示装置を制御する制御方法において、上記表示素子の各温度における輝度を測定し、各温度に応じて求められた上記表示素子の輝度補正値よりなる、各温度における補正値テーブルを作成するステップ、上記表示パネル単位で温度情報を定期的に読み出して温度を監視するステップ、上記表示パネルの温度が変化する毎に、上記各温度における補正値テーブルから該当する温度の上記輝度補正値を読み出し、上記輝度補正値を用いて、上記表示パネル内の上記表示素子の輝度を上記表示パネル単位毎に補正するステップを含むものである。
【発明の効果】
【０００９】
この発明に係わる映像表示装置によれば、輝度補正部によって、表示パネル毎に、複数の表示素子の輝度を、温度に応じて補正して制御できるため、輝度ムラのない良好な画質の映像表示装置を得ることができるという効果が得られる。
【００１０】
この発明に係わる映像表示装置の制御方法によれば、表示パネル毎に、複数の表示素子の輝度を、温度に応じて補正して制御できるため、映像表示装置の画質を、輝度ムラのない良好な画質とすることができるという効果が得られる。
【図面の簡単な説明】
【００１１】
【図１】本発明の実施の形態１による映像表示装置の概略構成図である。
【図２】本発明の実施の形態１による表示素子の輝度補正に用いる各温度における補正値テーブル例を示す図である。
【図３】本発明の実施の形態１に係る各表示パネルの温度情報例を示す図である。
【図４】本発明の実施の形態１に係る各表示パネルに設定される補正値データ例を示す図である。
【発明を実施するための形態】
【００１２】
実施の形態１．
本発明の実施の形態１の映像表示装置及びその制御方法について、図１〜図４を参照して説明する。この発明の映像表示装置は、複数の表示素子が配置された表示パネル、その表示パネルの集合体よりなる表示モジュール、表示パネル内の各々の温度を計測する温度計測部（温度センサ）、温度計測部で計測した各表示パネルの温度に応じて、表示素子の輝度を表示パネル毎に補正する輝度補正部（制御ユニット）を備え、輝度補正部は、表示素子の温度に対応した輝度補正値を記憶する補正値記憶部と、温度計測部で計測した温度に対応した輝度補正値を補正値記憶部から読み出し、各々の表示パネル内の表示素子の輝度を、輝度補正値を基に、表示パネル単位毎に制御する演算制御器を含んでいる。
なお、発明の説明において、輝度（発光輝度）、光度（発光光度）という用語を用いているが、輝度は、その単位が、カンデラ毎平方メートルであり、単位面積当たりの明るさを示し、光度は、その単位がカンデラであり、光源から発せられる光の強さ（全ての明るさ）を言う。よって、補正制御を行うために用いる補正値データとして輝度を示している。
【００１３】
図１は、本発明の実施の形態１による映像表示装置の基本的な構成を説明するための概略構成図であり、図１において、映像表示装置１は、複数の表示モジュール２をマトリックス状に配置、接続させて構成し、表示モジュール２は複数の表示パネル３をマトリックス状に配置、接続させて、制御ユニット（輝度補正部に相当する。）８とともに構成し、表示パネル３は複数の表示素子４をマトリックス状に配置、接続させて構成し、映像表示
画面を構成している。図２は表示素子４の輝度補正に関する情報である、各温度における補正値テーブル例を示しており、温度に依存して変化する表示素子４の輝度補正値を表す図表である。図３は、複数の表示パネル３によってなる映像表示装置１の、表示パネル３毎に計測された温度が例示された各表示パネルの温度情報例を示す図である。図４は、図３の表示パネル３の温度を、図２の補正値テーブルに当てはめた場合の、各表示パネル３に設定される補正値データ例を示す図であり、各表示パネル３内の全ての表示素子４に適用される。
【００１４】
表示パネル３には、複数個（例えば１６ドット×１６ドット等）のＬＥＤや蛍光表示管等の発光表示素子（画素）からなる表示素子４と、さらに、これを駆動するための表示素子ドライバ５と、表示素子４の画素毎の発光光度のばらつき補正に用いられる補正データを記憶する不揮発性メモリ６と表示パネル３の温度を計測し、その値を取得する温度センサ（温度計測部に相当する。）７を備えている。補正データは、各表示パネル３に含まれる画素数及び各温度に対応したデータ量を有する。
【００１５】
制御ユニット（輝度補正部）８には、マイコン９、補正値記憶部１０、映像メモリ１１、演算制御器１２が含まれる。
マイコン９は、上位からの命令を受けて、表示モジュール２内の表示機能の統括制御や、表示パネル３内不揮発性メモリ６との補正データの送受信等と温度センサ７の通信制御を行う。
【００１６】
補正値記憶部１０は、ＲＡＭからなり、表示モジュール２内の全画素数に対応するデータ量を有する補正データが記憶される。なお、補正値記憶部１０へ一時的に記憶される補正データは、マイコン９主導の元、演算制御器１２を介して、不揮発性メモリ６から読み出されて展開されたデータである。表示素子４の発光光度のばらつきを吸収するための光度補正は、全画素すなわち全表示素子４にわたって行われる。すなわち、全ての表示パネル３は、それぞれの不揮発性メモリ６を有しており、それぞれの不揮発性メモリ６に保存された補正データは、表示パネル３内の全ての補正値記憶部１０に展開される。
【００１７】
映像メモリ１１は、ＲＡＭからなり、映像表示装置１、すなわち、表示モジュール２に含まれる全画素数に対応するデータ量を有する映像信号データが映像表示装置１の外部に配置された上位の制御部から演算制御器１２を介して入力され、この映像信号データを一時的に記憶する。
演算制御器１２は、表示素子４の発光光度のばらつきを吸収するために、映像メモリ１１に記憶された映像信号データおよび補正値記憶部１０に記憶された補正データを、表示パネル３上のすべての表示素子４の発光光度が一定となるよう演算し、表示素子ドライバ５を駆動するためのドライバ駆動データを生成する。
【００１８】
次に、表示素子４の個体差に依存する発光光度のばらつきを吸収するための演算例について説明する。例えば、発光光度をａとするＡ素子、発光光度ｂのＢ素子において、目標光度をｃとし、Ａ素子が目標に対し、1.5倍、Ｂ素子が目標１/２倍の場合、Ａ素子に関しては、１/１．５の補正を実施する必要があり、Ｂ素子に関しては２倍の補正を実施する
必要が生じる。Ａ素子の補正値データＸａ、Ｂ素子の補正値データＸｂを１０ビット（1024最大）の演算データとして512を補正１倍の条件とすると、次の式を満足する補正値データを得られる。
ｃ＝a×Ｘａ/512
ｃ＝ｂ×Ｘｂ/512
補正値データは、Ｘａ＝３４１、Ｘｂ＝１０２４にて演算することとなる。以上は、表示素子４の個体差に依存する発光光度のばらつきを補正する補正値データの演算方法であったが、表示パネル３単位毎の温度に依存して行う表示素子４の輝度補正も同様の演算方法にて行うものである。
【００１９】
また、演算制御器１２は、上述したような、表示素子４の個体差による発光光度のばらつきを吸収する補正以外に、表示パネル３毎の温度に応じた表示素子４の輝度の補正も行うものである。演算制御器１２は、映像信号データ及び補正データから、所望の表示素子４を駆動するためのデータのみをそれぞれ指定して同期したタイミングで読み出し、読み出した各データに演算を行うことにより、所望の表示素子４を駆動するためのドライバ駆動データを生成し、対応するいずれかの表示パネル３へ送信する。この読み出し動作及び演算動作は、表示素子４に対応する映像メモリ１１と補正値記憶部１０のメモリアドレスを順次進めることにより、最終的に、全ての表示素子４に対して行われる。これにより、映像表示装置１を構成する表示モジュール２内の全ての表示パネル３に含まれる全ての表示素子４に対する表示駆動が行われる。
【００２０】
このように構成された映像表示装置１の制御方法について、より詳しく説明する。
まず、図２に示すような、各温度における補正値テーブルを作成する段階では、あらかじめ、表示パネル３単位の目標光度を決めておく。例えば、表示パネル３が２０℃の場合の発光光度を基準にするなど。
次に、各温度における表示パネル３の発光光度を測定する。
測定した表示パネル３の発光光度の測定データから、目標光度となる輝度補正値を算出し、各温度における補正値テーブルのデータを作成する。
なお、補正値を輝度補正値から光度補正値に変えて補正値テーブルを作成し、補正制御に用いることも可能である。
【００２１】
次に、各温度における補正値テーブルは、マイコン９により、電源投入時に映像表示装置１の補正値記憶部１０に記憶される。
次に、映像信号データを受けた演算制御器１２が、マイコン９に指示し、温度センサ７によって表示パネル３の温度を検出する。
次に、演算制御器１２によって、表示素子４の温度と、補正値テーブルを対比し、適正な輝度補正値を求める。この適正な輝度補正値は、温度センサ７によって監視している表示パネル３の温度に変化が生じる毎に求め、演算制御器１２は、映像表示データを補正し、表示パネル３を適正な発光光度で表示させる。
【００２２】
なお、演算制御器１２では、上述した表示素子４の個体差による発光光度のばらつき補正の補正値データＸａ、Ｘｂでばらつき補正をした上に、さらに、各温度の補正値テーブルを用いて温度補正を実施して映像データを作成しており、表示素子４の個体差と温度の変動による映像表示装置１の表示特性の劣化を防いでいる。
また、表示素子４の個体差、温度変動以外にも、補正が必要で制御可能な要因があれば、合わせて補正制御を行うことが有効であることは言うまでもない。
【００２３】
例えば、図２のような各温度における補正値テーブルが得られた場合であって、映像表示部である複数の表示パネル３の温度が図３のように、表示パネル３毎に違う場合、パネル（表示パネル）Ａの温度情報は、３１℃なので、図２の各温度における補正値テーブルより、３１〜３５℃の補正値データ０．７９が、パネルＡに設定される。同様に各表示パネルＢ〜Ｉの補正値データも設定され、図４のように、各表示パネルＡ〜Ｉの輝度補正値が設定される。この図４のデータに基づいて、温度によって変動する表示素子４の輝度を表示パネル３単位で補正することによって、表示素子４の温度上昇によって発生する輝度劣化を低減して、表示面を均一な明るさで表示することが可能となり、映像表示装置１の表示ムラを低減させることができる。
例えば、映像表示装置１の設置場所の気温を計測して、計測した気温を基に、全画面中の表示素子４の温度補正制御を一律的に行った場合には画面の温度ムラによる輝度ムラを
低減することは難しいが、本願発明では、表示パネル３自体の温度を計測し、表示パネル３毎に温度補正制御を行えるため、表示画面全体の表示特性を向上させることが可能である。
なお、本発明は、その発明の範囲内において、実施の形態を適宜、変形、省略することが可能である。
【符号の説明】
【００２４】
１  映像表示装置
２  表示モジュール
３  表示パネル
４  表示素子
５  表示素子ドライバ
６  不揮発性メモリ
７  温度センサ（温度計測部）
８  制御ユニット（輝度補正部）
９  マイコン
１０  補正値記憶部
１１  映像メモリ
１２  演算制御器。
【図１】
2013225035.tif 000003
【図２】
2013225035.tif 000004
【図３】
2013225035.tif 000005
【図４】
2013225035.tif 000006